(57)【要約】【課題】パッケージを外部回路基板にネジ止めした場合、基体に反りが生じることがあることから、同軸ケーブルを保持する保持部材に保持部材にクラックが生じる可能性があった。【解決手段】本発明の一つの態様に基づく電子部品収納用パッケージ１においては、枠体７が、基板５の一対のネジ止め部５ｃを結ぶ直線上に、この直線と平行に位置する第１の側壁部９を有しており、第１の側壁部９には、内側面、外側面および上面に開口して、入出力部材１３が取り付けられる切欠き部１１が形成されている。そして、切欠き部１１のうち入出力部材１３の上の領域に、枠体７が有するヤング率よりも低いヤング率を有する接合部材１５が配設されていることを特徴としている。【選択図】図１
2013093494.tif 000002
【特許請求の範囲】
【請求項１】
電子部品が載置される載置領域を上面に有する平板部および該平板部から互いに反対側の側方に引き出された一対のネジ止め部を具備した基板と、
内側面、外側面および上面に開口する切欠き部を有する第１の側壁部を含む複数の側壁部からなり、前記一対のネジ止め部を結ぶ直線上に該直線と平行に前記第１の側壁部が位置して、前記基板の上面に前記載置領域を囲むように設けられた枠体と、
上面が前記枠体の上面よりも低く位置するように前記切欠き部に取り付けられた、前記電子部品に電気的に接続される入出力部材と、
前記枠体が有するヤング率よりも低いヤング率を有し、前記切欠き部のうち前記入出力部材の上の領域に配設された接合部材とを備えた電子部品収納用パッケージ。
【請求項２】
前記切欠き部が、前記入出力部材が取り付けられた第１の部分および該第１の部分よりも上方に位置する第２の部分を有し、前記第１の部分における幅よりも前記第２の部分における幅が小さいことを特徴とする請求項１に記載の電子部品収納用パッケージ。
【請求項３】
前記入出力部材が、絶縁部材および前記枠体の内側から外側に引き出された配線導体を有し、前記第２の部分が前記配線導体の直上に位置していることを特徴とする請求項２に記載の電子部品収納用パッケージ。
【請求項４】
前記絶縁部材が前記枠体の内側と外側との間を貫通する貫通孔を有し、
該貫通孔の内周面に接地導体が配設されるとともに前記配線導体が前記貫通孔に絶縁体を介して挿入固定されており、
前記配線導体および前記接地導体によって同軸ケーブルが形成されていることを特徴とする請求項３に記載の電子部品収納用パッケージ。
【請求項５】
前記切欠き部は、前記第１の側壁部の長手方向の中央に形成されていることを特徴とする請求項１に記載の電子部品収納用パッケージ。
【請求項６】
前記接合部材は、前記基板の上面に平行な断面において、前記切欠き部から露出する表面が曲面形状であることを特徴とする請求項１に記載の電子部品収納用パッケージ。
【請求項７】
請求項１に記載の電子部品収納用パッケージと、
該電子部品収納用パッケージの前記載置領域に載置された電子部品と、
前記枠体の上面に接合された、前記電子部品を封止する蓋体とを備えた電子装置。
【発明の詳細な説明】
【技術分野】
【０００１】
本発明は、半導体素子のような電子部品が収納される電子部品収納用パッケージおよびこれを用いた電子装置に関する。このような電子装置は各種電子機器に用いることができる。
【背景技術】
【０００２】
電子部品を収納する電子部品収納用パッケージ（以下、単にパッケージともいう）としては、例えば、特許文献１に記載されたパッケージが知られている。特許文献１に記載のパッケージは、基体およびこの基体の上面の外周部に接合された枠体を備えている。枠体には内外を貫通する貫通孔が形成され、この貫通孔に保持部材が篏め込まれている。保持部材には枠体の外側から同軸コネクタが挿入されている。基体にはネジ止め孔が形成されている。このネジ止め孔において基体を外部回路基板に固定することによってパッケージが外部回路基板に実装される。
【先行技術文献】
【特許文献】
【０００３】
【特許文献１】特開２００３−７８８４号公報
【発明の概要】
【発明が解決しようとする課題】
【０００４】
特許文献１に記載のパッケージを外部回路基板にネジ止めした場合、基体に反りが生じることがある。このとき、枠体が基体に固定されていることから、基体の変形に伴って枠体が変形する場合がある。基体および枠体が変形すると、枠体の内外を貫通する貫通孔もまた変形する。この貫通孔の変形に伴って、保持部材には枠体におけるこの貫通孔の上方に位置する部分から押圧力が加わり易い。そのため、パッケージを外部回路基板に強固に固定しようとした場合、保持部材にクラックが生じる、あるいは、保持部材と枠体との間に隙間が形成される可能性がある。
【０００５】
本発明は、上記の課題に鑑みてなされたものであり、耐久性の良好な信頼性の高い電子部品収納用パッケージを提供することを目的とする。
【課題を解決するための手段】
【０００６】
本発明の一つの態様に基づく電子部品収納用パッケージは、電子部品が載置される載置領域を上面に有する平板部および該平板部から互いに反対側の側方に引き出された一対のネジ止め部を具備した基板と、内側面、外側面および上面に開口する切欠き部を有する第１の側壁部を含む複数の側壁部からなり、前記一対のネジ止め部を結ぶ直線上に該直線と平行に前記第１の側壁部が位置して、前記基板の上面に前記載置領域を囲むように設けられた枠体と、上面が前記枠体の上面よりも低く位置するように前記切欠き部に取り付けられた、前記電子部品に電気的に接続される入出力部材と、前記枠体が有するヤング率よりも低いヤング率を有し、前記切欠き部のうち前記入出力部材の上の領域に配設された接合部材とを備えたことを特徴としている。
【発明の効果】
【０００７】
上記態様の電子部品収納用パッケージにおいては、基板をネジ止めした場合に大きな反りが生じ易い一対のネジ止め部の間に、枠体における内側面、外側面および上面に開口する切欠き部を有する第１の側壁部が位置している。この切欠き部に入出力部材が取り付けられている。切欠き部のうち入出力部材の上の領域に、枠体が有するヤング率よりも低い
ヤング率を有する接合部材が配設されている。
【０００８】
このように、枠体よりも弾性変形し易い接合部材が上記の領域に充填されていることから、枠体の変形に伴って生じる応力を接合部材で緩和させることができる。そのため、基板に大きな反りが生じた場合であっても、入出力部材に大きな応力が加わる可能性を小さくできる。結果として、電子部品収納用パッケージを耐久性の良好な信頼性の高いものにできる。
【図面の簡単な説明】
【０００９】
【図１】第１の実施形態の電子部品収納用パッケージおよびこれを備えた電子装置を示す分解斜視図である。
【図２】図１に示す電子部品収納用パッケージの平面図である。
【図３】図２における領域Ａであって、枠体および接合部材を含み、基板の上面に平行な断面を示す拡大断面図である。
【図４】図２に示す電子部品収納用パッケージのＸ−Ｘ断面における断面図である。
【図５】図１に示す電子部品収納用パッケージの第１の側壁部側の側面図である。
【図６】第２の実施形態の電子部品収納用パッケージを示す斜視図である。
【図７】図６に示す電子部品収納用パッケージの平面図である。
【図８】図７に示す電子部品収納用パッケージのＹ−Ｙ断面における断面図である。
【発明を実施するための形態】
【００１０】
以下、各実施形態の電子部品収納用パッケージ（以下、単にパッケージともいう）およびにこれを備えた電子装置について、図面を用いて詳細に説明する。但し、以下で参照する各図は、説明の便宜上、実施形態の構成部材のうち、本発明を説明するために必要な主要部材のみを簡略化して示したものである。したがって、本発明に係るパッケージおよび電子装置は、本明細書が参照する各図に示されていない任意の構成部材を備え得る。また、各図中の部材の寸法は、実際の構成部材の寸法および各部材の寸法比率等を忠実に表したものではない。
【００１１】
図１〜５に示すように、第１の実施形態のパッケージ１は、電子部品３が載置される載置領域５ａを上面に有する基板５と、載置領域５ａを囲むように基板５の上面に設けられた枠体７とを備えている。基板５は、載置領域５ａを上面に有する平板部５ｂおよび平板部５ｂから互いに反対側の側方に引き出された一対のネジ止め部５ｃを具備している。枠体７は、第１の側壁部９を含む複数の側壁部からなる。第１の側壁部９は、内側面、外側面および上面に開口する切欠き部１１を有している。このような枠体７は、基板５の一対のネジ止め部５ｃを結ぶ直線上に、この直線と平行に第１の側壁部９が位置するとともに載置領域５ａを囲むように基板５の上面に設けられている。
【００１２】
また、本実施形態のパッケージ１は、切欠き部１１に取り付けられた入出力部材１３を備えている。このとき、入出力部材１３は、その上面が枠体７の上面よりも低く位置するように取り付けられている。入出力部材１３は、電子部品３に電気的に接続される。さらに、本実施形態のパッケージ１は、切欠き部１１のうち入出力部材１３の上の領域に配設された接合部材１５を備えている。そして、接合部材１５が、枠体７が有するヤング率よりも低いヤング率を有していることを特徴としている。
【００１３】
このように、枠体７よりも弾性変形し易い接合部材１５が、切欠き部１１のうち入出力部材１３の上の領域に充填されていることから、枠体７の変形に伴って生じる応力を接合部材１５で緩和させることができる。そのため、基板５に大きな反りが生じた場合であっても、入出力部材１３に大きな応力が加わる可能性を小さくできる。結果として、パッケージ１を耐久性の良好な信頼性の高いものにできる。
【００１４】
本実施形態における基板５は、電子部品３が載置される載置領域５ａを上面に有する平板部５ｂおよび平板部５ｂから互いに反対側の側方に引き出された一対のネジ止め部５ｃを具備している。平板部５ｂは、四角板形状であって、上面に電子部品３が載置される載置領域５ａを有している。また、四角板形状の平板部５ｂの四隅からは、ネジ止め部５ｃがそれぞれ側方に引き出されている。すなわち、本実施形態のパッケージ１においては、基板５が互いに反対側の側方に引き出された一対のネジ止め部５ｃを２つ備えている。これらのネジ止め部５ｃに形成されたネジ止め孔によってパッケージ１を実装基板１０３にネジ止め固定することができる。平板部５ｂとネジ止め部５ｃとは別体形成した後に両者を接合してもよいが、基板５の強度を高めるためには、平板部５ｂおよびネジ止め部５ｃが一体形成されていることが好ましい。
【００１５】
なお、本実施形態において載置領域５ａとは、基板５を平面視した場合に電子部品３と重なり合う領域を意味している。平板部５ｂが四角板形状である場合、その大きさを、例えば一辺１０ｍｍ以上１００ｍｍ以下に設定することができる。また、基板５の厚みとしては、例えば、０．３ｍｍ以上３ｍｍ以下に設定することができる。
【００１６】
本実施形態においては載置領域５ａが基板５の平板部５ｂにおける上面の中央部に形成されているが、電子部品３が載置される領域を載置領域５ａとしていることから、例えば、平板部５ｂの上面の端部に載置領域５ａが形成されていても何ら問題ない。また、本実施形態の基板５は一つの載置領域５ａを有しているが、基板５が複数の載置領域５ａを有し、それぞれの載置領域５ａに電子部品３が載置されていてもよい。
【００１７】
基板５の上面における載置領域５ａには電子部品３が配設される。電子部品３には、ボンディングワイヤ１７が電気的に接続されている。電子部品３は、このボンディングワイヤ１７、リード端子４１などを介して外部の配線回路（不図示）との間で信号の入出力を行うことができる。このように、基板５の上面には電子部品３が配設される。そのため、基板５としては、少なくとも電子部品３が配設される部分には高い絶縁性を有していることが求められる。
【００１８】
高い絶縁性を有する基板５は、複数の絶縁性部材を積層することによって作製できる。そして、この基板５の載置領域５ａに電子部品３が載置される。絶縁性部材としては、例えば、酸化アルミニウム質焼結体、ムライト質焼結体、炭化珪素質焼結体、窒化アルミニウム質焼結体および窒化珪素質焼結体のようなセラミック材料を用いることができる。また、これらのセラミック材料の代わりにガラスセラミック材料を用いてもよい。
【００１９】
これらのガラス粉末およびセラミック粉末を含有する原料粉末、有機溶剤並びにバインダを混ぜることにより混合部材を作製する。この混合部材をシート状に成形することにより複数のセラミックグリーンシートを作製する。作製された複数のセラミックグリーンシートを積層することにより複数の積層体を作製する。複数の積層体をそれぞれ約１６００度の温度で一体焼成することにより基板５が作製される。
【００２０】
なお、基板５としては、複数の絶縁性部材が積層された構成に限られるものではない。一つの絶縁性部材により基板５が構成されていてもよい。また、基板５として、少なくとも電子部品３が配設される部分に高い絶縁性を有していることが求められることから、例えば、金属部材上に絶縁性部材を積層した構成としてもよい。特に、基板５に対して高い放熱性が求められる場合、基板５が上記の構成であることが好ましい。金属部材は高い放熱性を有しているからである。金属部材上に絶縁性部材を積層した構成とすることで、基板５の放熱性を高めることができる。
【００２１】
具体的には、本実施形態における基板５のように、絶縁性の載置基板１９を備えていてもよい。本実施形態におけるパッケージ１では、基板５が金属部材からなり、この基板５の載置領域５ａ上に載置基板１９が配設されている。そして、この載置基板１９上に電子部品３が載置されている。
【００２２】
金属部材としては、具体的には、鉄、銅、ニッケル、クロム、コバルトおよびタングステンのような金属部材、あるいはこれらの金属からなる合金を用いることができる。このような金属部材のインゴットに圧延加工法、打ち抜き加工法のような金属加工法を施すことによって基板５を構成する金属部材を作製することができる。
【００２３】
載置基板１９としては、絶縁性部材と同様に絶縁性の良好な部材を用いることが好ましく、例えば、酸化アルミニウム質焼結体、ムライト質焼結体、炭化珪素質焼結体、窒化アルミニウム質焼結体および窒化珪素質焼結体のようなセラミック材料、またはガラスセラミック材料を用いることができる。
【００２４】
本実施形態のパッケージ１は、基板５の上面であって載置領域５ａを囲むように配設された枠体７を備えている。枠体７は、第１の側壁部９を含む複数の側壁部からなる。具体的には、枠体７は、平面視した場合の内周面および外周面がそれぞれ略四角形の筒形状であり、４つの側壁部によって構成されている。第１の側壁部９は、これら４つの側壁部の一つである。
【００２５】
第１の側壁部９は、内側面、外側面および上面に開口する切欠き部１１を有している。このような枠体７は、基板５の一対のネジ止め部５ｃを結ぶ直線上に、この直線と平行に第１の側壁部９が位置するとともに載置領域５ａを囲むように基板５の上面に接合材（不図示）を介して基板５に接合されている。接合材としては、例えば、金−錫ロウ、銀ロウが挙げられる。
【００２６】
枠体７は、平面視した場合の外周を一辺１０ｍｍ以上１００ｍｍ以下に設定することができる。また、外周と内周との間の幅で示される枠体７の厚みは、例えば０．５ｍｍ以上２ｍｍ以下に設定することができる。また、枠体７の高さとしては、例えば３ｍｍ以上３０ｍｍ以下に設定することができる。
【００２７】
枠体７としては、例えば、基板５と同様に絶縁性の良好な部材を用いることができる。絶縁性の良好な部材としては、例えば、酸化アルミニウム質焼結体、ムライト質焼結体、炭化珪素質焼結体、窒化アルミニウム質焼結体および窒化珪素質焼結体のようなセラミック材料を用いることができる。また、これらのセラミック材料の代わりにガラスセラミック材料を用いてもよい。
【００２８】
また、枠体７としては上記の絶縁性の良好な部材の他にも、例えば、鉄、銅、ニッケル、クロム、コバルトおよびタングステンのような金属部材、あるいはこれらの金属からなる合金を用いることができる。このような金属部材のインゴットに圧延加工法、打ち抜き加工法のような金属加工法を施すことによって枠体７を構成する複数の板状部材を作製することができる。また、枠体７は、一つの部材からなっていてもよいが、複数の部材の積層構造であってもよい。
【００２９】
本実施形態のパッケージ１における枠体７の第１の側壁部９は、内側面および外側面に開口する第１の貫通孔２１を有している。具体的には、第１の貫通孔２１は、第１の側壁部９における基板５と接合する下面側に形成され、第１の側壁部９の下面、内側面および外側面にそれぞれ開口する形状である。
【００３０】
第１の貫通孔２１には、入出力部材１３（第１の入出力部材１３）の一部が挿入固定されている。第１の入出力部材１３は、第１の絶縁部材２３、第２の絶縁部材２５および配線導体２７を有している。第１の入出力部材１３は、配線導体２７を介して電子部品３と外部配線とを電気的に接続する部材である。第１の絶縁部材２３は、基板５の上面に配設されている。
【００３１】
配線導体２７は、第１の絶縁部材２３の上面であって枠体７で囲まれた領域に位置する線路導体２９と、線路導体２９に電気的に接続され、枠体７の外側に引き出された配線ケーブル３１とを具備している。第２の絶縁部材２５は、配線導体２７の一方の端部および他方の端部がそれぞれ露出するように、第１の絶縁部材２３および配線導体２７の上面に配設されている。このとき、配線導体２７の一方の端部が枠体７で囲まれた領域内に位置して、他方の端部が凹部の内面に引き出されている。配線導体２７の一方の端部は、電子部品３にボンディングワイヤ１７を介して電気的に接続されている。配線ケーブル３１における枠体７の外側に位置する部分は絶縁性の被覆部材３３によって覆われていることが好ましい。
【００３２】
本実施形態における第１の入出力部材１３は、第１の絶縁部材２３と第２の絶縁部材２５との間に枠体７の内側および外側にそれぞれ開口する隙間が形成されている。言い換えれば、第１の絶縁部材２３および第２の絶縁部材２５によって構成される絶縁部材が、枠体７の内側と外側との間を貫通する貫通孔を有した構成となっている。
【００３３】
さらに、この貫通孔の内周面に接地導体（不図示）が配設されるとともに配線ケーブル３１が接地導体から離れて、接地導体との間に隙間を有した状態で貫通孔に挿入固定されている。すなわち、配線ケーブル３１および接地導体によって同軸ケーブルが形成されている。配線ケーブル３１と接地導体との間には絶縁体が配設されていてもよく、また、配線ケーブル３１と接地導体との間が空隙となっていても良い。
【００３４】
特に、配線ケーブル３１と接地導体との間が空隙となっている場合、本実施形態のパッケージ１の特徴的構成が特に有効となる。従来のパッケージ１のように基板５の変形に伴って基板５および枠体７から第１の入出力部材１３に大きな応力が加わった場合、配線ケーブル３１と接地導体との間隔が変化するため、配線ケーブル３１における信号の伝送特性が大きな影響を受ける可能性がある。しかしながら、本実施形態のパッケージ１では、第１の入出力部材１３に加わる応力を接合部材１５で緩和することができるので、配線ケーブル３１と接地導体との間隔が変化することを抑制できる。
【００３５】
本実施形態のパッケージ１においては、ボンディングワイヤ１７を介して配線導体２７と電子部品３とが電気的に接続されているが、これに限られるものではない。例えば、基板５の上面に、一方の端部が配線導体２７と電気的に接続され、他方の端部が載置領域５ａにまで引き回された接続用の導体を配設して、このような導体と電子部品３とを接続しても良い。
【００３６】
また、本実施形態のパッケージ１においては、配線導体２７が線路導体２９および配線ケーブル３１によって構成されているが、配線導体２７はこのような構成に限定されるものではない。第１の絶縁部材２３の上面であって、枠体７で囲まれた領域から枠体７の外側に引き出された線路導体２９のみからなる構成であっても良い。なお、配線導体２７がこのような構成である場合、配線導体２７と外部の配線回路とはリード端子４１などを用いて電気的に接続すればよい。
【００３７】
第１の絶縁部材２３の例示的な大きさとしては、平面視した場合における配線導体２７の引き出し方向に平行な短手方向の幅が１〜２０ｍｍ程度、平面視した場合における配線
導体２７の引き出し方向に垂直な長手方向の幅が２〜２０ｍｍ程度であって、厚みが０．５〜１０ｍｍ程度である四角板形状の部材を用いることができる。第１の絶縁部材２３としては、絶縁性部材と同様に絶縁性の良好な部材を用いればよい。
【００３８】
配線導体２７は、同軸コネクタやリード端子４１などを介して外部の配線回路と電子部品３とを電気的に接続するための部材である。配線導体２７としては、導電性の良好な部材を用いることが好ましい。具体的には、タングステン、モリブデン、ニッケル、銅、銀および金のような金属材料を配線導体２７として用いることができる。上記の金属材料を単一で用いてもよく、また、合金として用いてもよい。
【００３９】
本実施形態における第２の絶縁部材２５は、四角板形状である。例示的な大きさとしては、平面視した場合における配線導体２７の引き出し方向に平行な短手方向の幅が０．５〜１９．５ｍｍ程度、平面視した場合における配線導体２７の引き出し方向に垂直な長手方向の幅が２〜２０ｍｍ程度であって、厚みが０．５〜１０ｍｍ程度である四角板形状の部材を用いることができる。第２の絶縁部材２５としては、第１の絶縁部材２３と同様に絶縁性の良好な部材を用いればよい。
【００４０】
また、第１の側壁部９は、第１の入出力部材１３の上方であって、第１の貫通孔２１とつながり、内側面、外側面および上面に開口する溝部３５を有している。すなわち、第１の貫通孔２１および溝部３５によって切欠き部１１が形成されている。また、このとき、溝部３５が第１の入出力部材１３の上方に位置していることから、言い換えれば、第１の入出力部材１３の上面が枠体７の上面よりも低く位置するように切欠き部１１に取り付けられている。
【００４１】
このような溝部３５を有していない場合、第１の入出力部材１３が基板５と枠体７とに挟まれることになる。そのため、基板５に反りなどの変形が生じた場合に第１の貫通孔２１が変形して、第１の入出力部材１３に基板５および枠体７から大きな押圧力が加わる可能性がある。その結果、基板５、枠体７または第１の入出力部材１３にクラックが生じる、あるいは、これらの部材の接合箇所に隙間が生じて、パッケージ１の気密性が低下する可能性が高まる。
【００４２】
しかしながら、本実施形態のパッケージ１においては、第１の入出力部材１３の上方であって、第１の貫通孔２１とつながるように内側面、外側面および上面に開口する溝部３５を第１の側壁部９が有している。そして、切欠き部１１のうち第１の入出力部材１３の上の領域である溝部３５に、枠体７が有するヤング率よりも低いヤング率を有する接合部材１５が配設されている。そのため、基板５のネジ止めに起因して、基板５に反りなどの変形が生じた場合であっても接合部材１５が変形し易いので、基板５および枠体７から第１の入出力部材１３に加わる押圧力を小さくできる。従って、パッケージ１の耐久性を高めて、気密性の良好なものにできる。
【００４３】
本実施形態のパッケージ１における切欠き部１１は、入出力部材１３が取り付けられた第１の貫通孔２１（第１の部分）と、第１の貫通孔２１よりも上方に位置して第１の貫通孔２１と連続する溝部３５（第２の部分）とを有している。このとき、図５に示すように、第１の部分における基板５の上面および第１の側壁部９の内側面に平行な方向の幅Ｗ１よりも、第２の部分における基板５の上面および第１の側壁部９の内側面に平行な方向の幅Ｗ２が小さい。そのため、第１の入出力部材１３の上面の少なくとも一部に対して第１の側壁部９が対向するように位置している。
【００４４】
このように切欠き部１１が形成されていることによって、第１の入出力部材１３の高さ方向の位置決めを安定して図ることができる。第２の部分における上記の幅は、第１の部
分における上記の幅の５〜５０％程度であればよく、１０〜２０％程度であることが好ましい。なお、第１の部分の幅および第２の部分の幅にそれぞればらつきがある場合、第１の部分の幅の平均値と第２の部分の幅の平均値とを比較すれば良い。
【００４５】
配線ケーブル３１と接地導体との間隔が変化することを抑制するため、あるいは、入出力部材１３に大きな応力が加わることによって線路導体２９が断線することを抑制するため、第２の部分が配線導体２７の直上に位置していることが好ましい。第１の側壁部９は、第２の部分が形成された部分の近傍において、入出力部材１３への応力緩和の効果が相対的に大きい。この応力緩和の効果が大きい部分が配線導体２７の直上に位置していることによって、配線導体２７の伝送特性が変化することを抑制できる。
【００４６】
また、切欠き部１１による枠体７から入出力部材１３への応力緩和の効果を高めるため、切欠き部１１は、第１の側壁部９の長手方向（図２，５における左右方向）の中央に形成されていることが好ましい。第１の側壁部９における、切欠き部１１よりも一対のネジ止め部５ｃの一方側に位置する部分と、切欠き部１１よりも一対のネジ止め部５ｃの他方側に位置する部分と、の間での応力緩和の偏りを小さくできるからである。すなわち、枠体７から入出力部材１３に加わる応力の偏りを低減できるので、上記の応力が局所的に大きくなることを抑制できる。
【００４７】
本実施形態のパッケージ１は、切欠き部１１のうち入出力部材１３の上の領域に配設された接合部材１５を備えている。そして、接合部材１５が、枠体７が有するヤング率よりも低いヤング率を有している。枠体７よりも弾性変形し易い接合部材１５が、切欠き部１１のうち入出力部材１３の上の領域に充填されていることから、枠体７の変形に伴って生じる応力を接合部材１５で緩和させることができる。
【００４８】
接合部材１５は、入出力部材１３と枠体７とを接合する部材である。そのため、接合部材１５は、切欠き部１１のうち少なくとも入出力部材１３の上の領域に配設されているが、この領域のみに配設されていることを意味するものではない。本実施形態のパッケージ１においては、入出力部材１３を囲むように切欠き部１１の表面全体に接合部材１５が配設されている。これによって、入出力部材１３と枠体７との接合性を良好なものにしている。
【００４９】
また、接合部材１５は切欠き部１１からはみ出していても良い。例えば、本実施形態のパッケージ１においては、図２に示すように、枠体７の外側に接合部材１５の一部がはみ出している。このとき、接合部材１５が、基板５の上面に平行な断面において、切欠き部１１からはみ出して露出する表面が曲面形状であることが好ましい。
【００５０】
図２に示すように、切欠き部１１の表面が凸曲面形状である場合、枠体７の変形に伴って接合部材１５が変形する際に、接合部材１５の特定の領域に内部応力が集中することを抑制できる。そのため、接合部材１５にクラックが生じる、あるいは接合部材１５が枠体７または入出力部材１３から剥離する、という可能性を抑制できるからである。
【００５１】
なお、本実施形態のパッケージ１においては、接合部材１５が切欠き部１１からはみ出し、この部分で露出する表面が凸曲面形状であるが、例えば、接合部材１５全体が切欠き部１１の内に位置して、切欠き部１１から露出する表面が凹曲面形状であっても同様に接合部材１５の特定の領域に内部応力が集中することを抑制できる。
【００５２】
接合部材１５としては、例えば、樹脂部材またはロウ材を用いることができる。樹脂部剤としては、例えば、シリコーン樹脂、アクリル樹脂およびエポキシ樹脂が挙げられる。ロウ材としては、例えば、金−錫ロウおよび銀ロウが挙げられる。
【００５３】
一例を挙げると、枠体７として１４０ＧＰａ程度のＦｅ−Ｎｉ−Ｃｏ、あるいは２５０−３００ＧＰａ程度のＣｕ−Ｗを用いるとともに、接合部材１５として６０ＧＰａ程度の金−錫ロウを用いた場合、接合部材１５のヤング率が枠体７のヤング率よりも小さい。そのため、基板５および枠体７から入出力部材１３に加わる応力を小さくできる。接合部材１５のヤング率は、枠体７のヤング率の３／４以下、さらには１／２以下であることが好ましい。
【００５４】
本実施形態における枠体７は、第１の側壁部９に形成された第１の貫通孔２１だけでなく、第１の側壁部９とは別の側壁部に形成された第２の貫通孔を有している。第２の貫通孔は、第１の貫通孔２１と同様に、枠体７の下面、内周面および外周面にそれぞれ開口する形状である。第２の貫通孔には、第２の入出力部材３７の一部が挿入固定されている。第２の入出力部材３７は、絶縁部材および配線導体を備えており、第１の入出力部材１３と同様の構成となっている。
【００５５】
第１の入出力部材１３が挿入固定される第１の貫通孔２１が、基板５の一対のネジ止め部５ｃを結ぶ直線上に位置する第１の側壁部９に形成されている一方で、第２の入出力部材３７が挿入固定される第２の貫通孔は、基板５の一対のネジ止め部５ｃを結ぶ直線上には位置していない別の側壁部に形成されている。そのため、基板５をネジ止めした際に基板５に反りなどの変形が生じた場合であっても、第２の貫通孔の変形は相対的に小さい。従って、第２の貫通孔の上方に溝部が形成されていなくてもよい。
【００５６】
本実施形態のパッケージ１においては、電子部品３として光半導体素子が用いられている。光半導体素子としては、例えば、ＬＤ素子に代表される、光ファイバに対して光を出射する発光素子、ＰＤ素子に代表される、光ファイバに対して光を受光する受光素子が挙げられる。このような光半導体素子を用いている場合、光半導体素子と光ファイバとの間で光学的な結合を行う必要がある。
【００５７】
本実施形態における枠体７には、第１の貫通孔２１および第２の貫通孔とは別に開口部が形成されており、この開口部に光半導体素子と光学的に結合される筒状の光ファイバ保持部材３９が固定されている。光ファイバ保持部材３９には光ファイバが保持される。そのため、光半導体素子と光ファイバとの間で光学的な結合を行うことができる。筒状の光ファイバ保持部材３９は、光ファイバを固定して位置決めを図るための部材である。また、光ファイバ保持部材３９が筒状であることによって、この筒形状の中空部分で光半導体素子と光ファイバとの間での光の伝達を行うことができる。
【００５８】
光ファイバ保持部材３９としては、少なくとも光ファイバを固定できる程度の強度を有していることが好ましい。具体的には、ステンレス、鉄、銅、ニッケル、クロム、コバルトおよびタングステンのような金属部材、あるいはこれらの金属からなる合金を用いることができる。このような金属部材のインゴットに圧延加工法、打ち抜き加工法のような金属加工法を施すことによって筒状の光ファイバ保持部材３９を作製することができる。
【００５９】
特に、枠体７と光ファイバ保持部材３９とが、同じ金属部材を用いて形成されていることが好ましい。枠体７および光ファイバ保持部材３９の熱膨張差を小さくすることができるので、枠体７と光ファイバ保持部材３９との間に生じる応力を小さくすることができるからである。
【００６０】
本実施形態の電子装置１０１の使用時においては、光ファイバ保持部材３９の他方の端部にフェルールが固定される。フェルールは、光ファイバ保持部材３９の筒の内部に対して一方の端部が開口する貫通孔を有している。そして、この貫通孔に光ファイバが挿入固
定される。このようにフェルールが光ファイバ保持部材３９に挿入固定されていることによって、光ファイバと電子部品３との光学結合を行うことができる。
【００６１】
フェルールとしては、例えば、ジルコニア、アルミナ等のセラミック材料をもちいることができる。また、光ファイバとしては、石英ガラスのような透光性の材料を用いることができる。なお、本実施形態におけるフェルールは筒状の光ファイバ保持部材３９の内周面に固定されているが、これに限られるものではない。例えば、光ファイバ保持部材３９の他方の端部の端面にフェルールを接合することによって固定してもよい。
【００６２】
次に、第２の実施形態の電子部品収納用パッケージ１について、図面を用いて詳細に説明する。なお、本実施形態にかかる各構成において、第１の実施形態と同様の機能を有する構成については、同じ参照符号を付記し、その詳細な説明を省略する。
【００６３】
第２の実施形態のパッケージ１は、第１の実施形態のパッケージ１と比較して、切欠き部１１の形状が相違している。具体的には、本実施形態のパッケージ１における切欠き部１１は、図６〜８に示すように、第１の側壁部９の内側面および外側面に開口する第１の貫通孔２１と、入出力部材１３の上方であって第１の貫通孔２１とつながり、第１の側壁部９の内側面および外側面のいずれか一方ならびに上面に開口する溝部３５とを有している。
【００６４】
すなわち、本実施形態における切欠き部１１は、第１の実施形態における切欠き部１１と同様に、第１の側壁部９の内側面および外側面に開口する第１の貫通孔２１を有している。また、第１の実施形態における溝部３５が、第１の側壁部９の内側面および外側面の両方に開口している一方で、本実施形態における溝部３５は、第１の側壁部９の内側面および外側面のいずれか一方に開口している。
【００６５】
本実施形態での第１の側壁部９における溝部３５が形成された部分の厚みが、第１の側壁部９における他の部分の厚みよりも小さい。そのため、溝部３５が形成された部分が変形し易くなっている。基板５の一対のネジ止め部５ｃを結ぶ直線上であって当該直線と平行に位置する側壁部である第１の側壁部９が基板５のネジ止めに起因して変形する場合に、上記の溝部３５が形成された部分が変形する。このように相対的に変形し易い部分が、入出力部材１３の上方に位置していることから、枠体７から入出力部材１３に加わる応力を小さくすることができる。
【００６６】
本実施形態のパッケージ１における枠体７から入出力部材１３に加わる応力を抑制する効果は、第１の実施形態のパッケージ１と比較すると小さいが、一方で、本実施形態のパッケージ１における枠体７では、溝部３５が形成された部分において、枠体７が一定の厚みを有していることから、第１の実施形態のパッケージ１と比較して、枠体７の形状を安定して保持することが可能となる。
【００６７】
溝部３５が形成された部分における第１の側壁部９の厚みは、第１の側壁部９における他の部分の厚みの５〜５０％程度であればよい。なお、第１の側壁部９における溝部３５が形成された部分の厚みおよび上記の他の部分の厚みにそれぞればらつきがある場合、それぞれの部分の厚みの平均値を比較すれば良い。
【００６８】
次に、一実施形態の電子装置１０１について、図面を用いて詳細に説明する。本実施形態の電子装置１０１は、上記の実施形態に代表される電子部品収納用パッケージ１と、電子部品収納用パッケージ１の載置領域５ａ内に載置された電子部品３と、枠体７と接合された、電子部品３を封止する蓋体１０５とを備えている。なお、図１においては、第１の実施形態のパッケージ１を備えた電子装置１０１を例示している。
【００６９】
本実施形態の電子装置１０１においては、基板５の載置領域５ａに電子部品３が載置されている。電子部品３は、ボンディングワイヤ１７を介して入出力部材１３の配線導体２７に電気的に接続されている。この電子部品３に配線導体２７などを介して外部信号を入力することによって電子部品３から所望の出力を得ることができる。電子部品３としては、上述した光半導体素子の他にも、例えば、ＩＣ素子、コンデンサのような部品を用いることができる。
【００７０】
蓋体１０５は、枠体７と接合され、電子部品３を封止するように設けられている。蓋体１０５は、枠体７の上面に接合されている。そして、基板５、枠体７および蓋体１０５で囲まれた空間において電子部品３を封止している。このように電子部品３を封止することによって、長期間のパッケージ１の使用による電子部品３の劣化を抑制することができる。
【００７１】
蓋体１０５としては、例えば、鉄、銅、ニッケル、クロム、コバルトおよびタングステンのような金属部材、あるいはこれらの金属からなる合金を用いることができる。また、枠体７と蓋体１０５は、例えばシーム溶接法によって接合することができる。また、枠体７と蓋体１０５は、例えば、金−錫ロウを用いて接合してもよい。
【００７２】
また、枠体７と蓋体１０５とは直接に接合されていても良いが、例えば、平面視した場合に枠体７と重なり合うようなリング形状である金属部材、いわゆるシールリングを間に挟んで接合されていても良い。
【００７３】
以上、各実施形態の電子部品収納用パッケージおよびこれを備えた電子装置について説明してきたが、本発明は上述の実施形態に限定されるものではない。すなわち、本発明の要旨を逸脱しない範囲内であれば種々の変更や実施形態の組み合わせを施すことは何等差し支えない。
【符号の説明】
【００７４】
１・・・電子部品収納用パッケージ（パッケージ）
３・・・電子部品
５・・・基板
５ａ・・・載置領域
５ｂ・・・平板部
５ｃ・・・ネジ止め部
７・・・枠体
９・・・第１の側壁部
１１・・・切欠き部
１３・・・入出力部材（第１の入出力部材）
１５・・・接合部材
１７・・・ボンディングワイヤ
１９・・・載置基板
２１・・・第１の貫通孔
２３・・・第１の絶縁部材
２５・・・第２の絶縁部材
２７・・・配線導体
２９・・・線路導体
３１・・・配線ケーブル
３３・・・被覆部材
３５・・・溝部
３７・・・第２の入出力部材
３９・・・光ファイバ保持部材
４１・・・リード端子
１０１・・・電子装置
１０３・・・実装基板
１０５・・・蓋体 
【図１】
2013093494.tif 000003
【図２】
2013093494.tif 000004
【図３】
2013093494.tif 000005
【図４】
2013093494.tif 000006
【図５】
2013093494.tif 000007
【図６】
2013093494.tif 000008
【図７】
2013093494.tif 000009
【図８】
2013093494.tif 000010